(57)【要約】【課題】パーソナル・コンピュータ上のＨＤ画像ファイルを、ＡＶＣＨＤ準拠のデジタルビデオカメラに再生可能となる形式で書き戻す。【解決手段】デジタルビデオカメラ内蔵ＨＤＤ上にＡＶＣＨＤフォーマット相当のフォルダ構造を持つ一時フォルダを作成し、パーソナル・コンピュータ内の画像ファイルを一時フォルダ下のストリーム格納用フォルダにコピーする。一時フォルダ下のストリーム・ファイルを分離及び再統合し、その際に得られるパラメータから属性情報ファイルを生成した後、一時フォルダ内のストリーム・ファイル及び属性情報ファイルをそれぞれ本来の格納場所となるフォルダに移動する。【選択図】  図７
2008022504.tif 000002
【特許請求の範囲】
【請求項１】
通信手段を介して接続された記録再生装置に対して、第１のデータ・ストリーム・ファイル及び前記第１のデータ・ストリーム・ファイルを管理する第１の管理情報ファイルを転送する制御手段を有する情報処理装置と、
第２のデータ・ストリーム・ファイル及び前記第２のデータ・ストリーム・ファイルを管理する第２の管理情報ファイルが所定のディレクトリ構造により記録される第１の記録手段と、前記情報処理装置から転送された前記第１のデータ・ストリーム・ファイル及び前記第１の管理情報ファイルが前記所定のディレクトリ構造により記録される第２の記録手段を有する記録再生装置を備え、
前記情報処理装置の制御手段は、
前記第１のデータ・ストリーム・ファイル及び前記第１の管理情報ファイルを前記第２の記録手段に記録制御した後に、
前記第２の記録手段に記録させた前記第１のデータ・ストリーム・ファイル及び前記第１の管理情報ファイルに基づいて、前記第１の記録手段に記録された対応する前記第２のデータ・ストリーム・ファイル及び前記第２の管理情報ファイルに対して追記又は更新制御を行なう、
ことを特徴とするデータ処理システム。
【請求項２】
前記所定のディレクトリ構造は、データ・ストリーム・ファイル格納用フォルダと、管理情報ファイル格納用フォルダを備え、
前記情報処理装置の制御手段は、前記第２の記録手段内のデータ・ストリーム・ファイル格納用フォルダに前記第１のデータ・ストリーム・ファイルを転送するとともに、前記データ・ストリーム・ファイル格納用フォルダ内の前記第１のデータ・ストリーム・ファイルを用いて前記第１の管理情報ファイルを作成して前記第２の記録手段内の管理情報ファイル格納用フォルダに格納し、
前記第２の記録手段内のデータ・ストリーム・ファイル格納用フォルダ内のデータ・ストリーム・ファイルと前記第２の記録手段内の管理情報格納用フォルダ内の管理情報ファイルを前記第１の記憶手段内のそれぞれ該当するフォルダ内にそれぞれ移動させた後に、前記第２の記録手段の記録内容を削除する、
ことを特徴とする請求項１に記載のデータ処理システム。
【請求項３】
前記所定のディレクトリ構造は、動画像ストリームを記録するための所定のフォルダの直下に、各動画像ストリーム・ファイルを格納するストリーム格納用フォルダと、動画像ストリーム・ファイル毎の属性情報ファイルを格納する属性情報ファイル格納用フォルダと、ストリーム格納用フォルダ内の動画像ストリーム・ファイルの再生順序に関連する情報からなる再生リスト・ファイルを格納する再生リスト格納用フォルダと、再生リスト・ファイルに基づく動画像ストリーム・ファイルの再生動作を制御する際に使用する情報を記載した１以上の管理情報ファイルをそれぞれ格納し、
前記情報処理装置の制御手段は、転送対象となる各動画像ストリーム・ファイルを前記第２の記録手段内のストリーム格納用フォルダに転送し、前記第２の記録手段内のストリーム格納用フォルダ内の各動画像ストリーム・ファイルを分離及び再統合して得られるパラメータに基づいて属性情報ファイルを生成して前記第２の記録手段内の属性情報ファイル格納用フォルダに保存し、該生成した属性情報ファイルに対する再生リスト・ファイルを生成して前記第２の記録手段内の再生リスト格納用フォルダに保存し、前記第２の記録手段内に管理情報ファイルを生成してから、前記第２の記録手段内の動画像ストリーム・ファイル、属性情報ファイル、再生リスト・ファイルを前記第１の記録手段内の該当する各フォルダに移動し、前記第２の記録手段内の管理情報ファイルに対して再生リスト・ファイルを追加するための編集を行なう、
ことを特徴とする請求項２に記載のデータ処理システム。
【請求項４】
前記情報処理装置の制御手段は、前記追記又は更新制御の前に、前記第１の管理情報ファイルに含まれる所定のファイルを前記第１の記録手段に設けられたバックアップ・フォルダに格納する、
ことを特徴とする請求項１に記載のデータ処理システム。
【請求項５】
前記情報処理装置の制御手段は、前記追記処理した後に、前記第１の記録手段に記録された前記第２の管理情報ファイルに含まれるインデックス・ファイル及び動画像オブジェクト・ファイルを更新する、
ことを特徴とする請求項２に記載のデータ処理システム。
【請求項６】
前記情報処理装置の制御手段は、転送対象となる動画像ストリーム・ファイル群を所定のサイズ以下となる１以上のグループに分け、グループ毎に、前記第２の記録手段への動画像ストリーム・ファイルの転送とこれに伴う属性情報ファイル及び再生リスト・ファイルの生成と管理情報ファイルの編集処理を順次行なう、
ことを特徴とする請求項３に記載のデータ処理システム。
【請求項７】
データ・ストリーム・ファイルの処理を行なう情報処理装置であって、
任意のディレクトリ構造の下で第１のデータ・ストリーム・ファイルを格納する内部記憶手段と、
第２のデータ・ストリーム・ファイル及び前記第２のデータ・ストリーム・ファイルを管理する第２の管理情報ファイルが所定のディレクトリ構造により記録されている記録再生装置を接続する通信手段と、
前記内部記憶手段に格納されている前記第１のデータ・ストリーム・ファイルを、前記通信手段を介して接続されている記録再生装置に転送するファイル転送制御手段を備え、
前記ファイル転送制御手段は、前記第１のデータ・ストリーム・ファイル及び前記第１のデータ・ストリーム・ファイルを管理する第１の管理情報ファイルを前記記録再生装置に記録制御した後に、前記記録再生装置に記録させた前記第１のデータ・ストリーム・ファイル及び前記第１の管理情報ファイルに基づいて、前記記録再生装置に記録されている前記第２のデータ・ストリーム・ファイル及び前記第２の管理情報ファイルに対して追記又は更新制御を行なう、
ことを特徴とする情報処理装置。
【請求項８】
前記所定のディレクトリ構造としてデータ・ストリーム格納用フォルダと管理情報ファイル格納用フォルダを備え、
前記ファイル転送制御手段は、前記記録再生装置内に前記所定のディレクトリ構造と同じ構造からなる一時フォルダを作成して、該一時フォルダ内の前記第１のデータ・ストリーム・ファイルをデータ・ストリーム・ファイル格納用フォルダに転送するとともに、前記記録再生装置内に転送された第１のデータ・ストリーム・ファイルに基づいて前記第１の管理情報ファイルを生成して該一時フォルダ内の管理情報ファイル格納用フォルダに保存する、
ことを特徴とする請求項７に記載の情報処理装置。
【請求項９】
前記ファイル転送制御手段は、前記記録再生装置内において、該一時フォルダから前記所定のディレクトリ構造の該当フォルダへデータ・ストリーム・ファイル及び管理情報ファイルをそれぞれ移動させた後に、該一時フォルダを削除する、
ことを特徴とする請求項８に記載の情報処理装置。
【請求項１０】
前記記録再生装置は、前記所定のディレクトリ構造として、動画像ストリームを記録するための所定のフォルダの直下に、各動画像ストリーム・ファイルを格納するストリーム格納用フォルダと、動画像ストリーム・ファイル毎の属性情報ファイルを格納する属性情報ファイル格納用フォルダと、ストリーム格納用フォルダ内の動画像ストリーム・ファイルの再生順序に関連する情報からなる再生リスト・ファイルを格納する再生リスト格納用フォルダと、再生リスト・ファイルに基づく動画像ストリーム・ファイルの再生動作を制御する際に使用する情報を記載した１以上の管理情報ファイルをそれぞれ格納しており、
前記ファイル転送制御手段は、前記内部記憶手段にある動画像ストリーム・ファイルを前記一時フォルダ下のストリーム格納用フォルダに転送し、前記一時フォルダ下のストリーム格納用フォルダ内の動画像ストリーム・ファイルを分離及び再統合して得られるパラメータに基づいて属性情報ファイルを生成して前記一時フォルダ下の属性情報ファイル格納用フォルダに保存し、該生成した属性情報ファイルに対する再生リスト・ファイルを生成して前記一時フォルダ下の再生リスト格納用フォルダに保存し、前記一時フォルダ下に管理情報ファイルを生成してから、前記一時フォルダ内の動画像ストリーム・ファイル、属性情報ファイル、再生リスト・ファイルを前記所定のディレクトリ構造における該当する各フォルダに移動し、前記所定のディレクトリ構造内の管理情報ファイルに対して再生リスト・ファイルを追加するための編集を行なう、
ことを特徴とする請求項９に記載の情報処理装置。
【請求項１１】
前記ファイル転送制御手段は、前記追記又は更新制御の前に、前記第１の管理情報ファイルに含まれる所定のファイルを前記記録再生装置に設けられたバックアップ・フォルダに格納する、
ことを特徴とする請求項７に記載の情報処理装置。
【請求項１２】
前記ファイル転送制御手段は、前記追記処理した後に、前記記録再生装置に記録されている前記第２の管理情報ファイルに含まれるインデックス・ファイル及び動画像オブジェクト・ファイルを更新する、
ことを特徴とする請求項１１に記載の情報処理装置。
【請求項１３】
前記ファイル転送制御手段は、前記内部記憶手段にある転送対象となる動画像ストリーム・ファイル群を所定のサイズ以下となる１以上のグループに分け、グループ毎に、前記外部記憶装置への動画像ストリーム・ファイルの転送とこれに伴う属性情報ファイル、再生リスト・ファイルの生成と管理情報ファイルの編集処理を順次行なう、
ことを特徴とする請求項１０に記載の情報処理装置。
【請求項１４】
前記ファイル転送制御手段は、前記通信手段に前記記録再生装置が接続されたときに、前記記録再生装置に残されている一時フォルダを削除する、
ことを特徴とする請求項８に記載の情報処理装置。
【請求項１５】
情報処理装置内の第１のデータ・ストリーム・ファイルを、所定のディレクトリ構造により第２のデータ・ストリーム・ファイル及び前記第２のデータ・ストリーム・ファイルを管理する第２の管理情報ファイルを記録している記録再生装置に転送する情報処理方法であって、
前記ファイル転送制御手段は、前記第１のデータ・ストリーム・ファイル及び前記第１のデータ・ストリーム・ファイルを管理する第１の管理情報ファイルを前記記録再生装置に記録制御する第１のステップと、
前記記録再生装置に記録させた前記第１のデータ・ストリーム・ファイル及び前記第１の管理情報ファイルに基づいて、前記記録再生装置に記録されている前記第２のデータ・ストリーム・ファイル及び前記第２の管理情報ファイルに対して追記又は更新制御を行なう第２のステップと、
を具備することを特徴とする情報処理方法。
【請求項１６】
前記所定のディレクトリ構造としてデータ・ストリーム格納用フォルダと管理情報ファイル格納用フォルダを備え、
前記第１のステップでは、前記記録再生装置内に前記所定のディレクトリ構造と同じ構造からなる一時フォルダを作成して、該一時フォルダ内の前記第１のデータ・ストリーム・ファイルをデータ・ストリーム・ファイル格納用フォルダに転送するとともに、前記記録再生装置内に転送された第１のデータ・ストリーム・ファイルに基づいて前記第１の管理情報ファイルを生成して該一時フォルダ内の管理情報ファイル格納用フォルダに保存する、
ことを特徴とする請求項１５に記載の情報処理方法。
【請求項１７】
前記第２のステップにおいて、該一時フォルダから前記所定のディレクトリ構造の該当フォルダへデータ・ストリーム・ファイル及び管理情報ファイルをそれぞれ移動させた後に、前記記録再生装置から該一時フォルダを削除する、
ことを特徴とする請求項１６に記載の情報処理方法。
【請求項１８】
前記記録再生装置は、前記所定のディレクトリ構造として、動画像ストリームを記録するための所定のフォルダの直下に、各動画像ストリーム・ファイルを格納するストリーム格納用フォルダと、動画像ストリーム・ファイル毎の属性情報ファイルを格納する属性情報ファイル格納用フォルダと、ストリーム格納用フォルダ内の動画像ストリーム・ファイルの再生順序に関連する情報からなる再生リスト・ファイルを格納する再生リスト格納用フォルダと、再生リスト・ファイルに基づく動画像ストリーム・ファイルの再生動作を制御する際に使用する情報を記載した１以上の管理情報ファイルをそれぞれ格納しており、
前記第１のステップでは、動画像ストリーム・ファイルを前記一時フォルダ下のストリーム格納用フォルダに転送した後、前記一時フォルダ内の動画像ストリーム・ファイルを分離及び再統合して得られるパラメータに基づいて属性情報ファイルを生成して前記一時フォルダ下の属性情報ファイル格納用フォルダに保存するとともに、該生成した属性情報ファイルに対する再生リスト・ファイルを生成して前記一時フォルダ下の再生リスト格納用フォルダに保存し、
前記第２のステップでは、前記一時フォルダ下に管理情報ファイルを生成してから、前記一時フォルダ内の動画像ストリーム・ファイル、属性情報ファイル、再生リスト・ファイルを前記所定のディレクトリ構造における該当する各フォルダに移動し、前記所定のディレクトリ構造内の管理情報ファイルに対して再生リスト・ファイルを追加するための編集を行なう、
ことを特徴とする請求項１６に記載の情報処理方法。
【請求項１９】
前記第２のステップでは、前記追記又は更新制御の前に、前記第１の管理情報ファイルに含まれる所定のファイルを前記記録再生装置に設けられたバックアップ・フォルダに格納する、
ことを特徴とする請求項１５に記載の情報処理方法。
【請求項２０】
前記第２のステップでは、前記追記処理した後に、前記記録再生装置に記録されている前記第２の管理情報ファイルに含まれるインデックス・ファイル及び動画像オブジェクト・ファイルを更新する、
ことを特徴とする請求項１９に記載の情報処理方法。
【請求項２１】
転送対象となる動画像ストリーム・ファイル群を所定のサイズ以下となる１以上のグループに分け、グループ毎に、前記第１乃至第２のステップを順次実行する、
ことを特徴とする請求項１８に記載の情報処理方法。
【請求項２２】
前記記録再生装置が接続されたときに、前記記録再生装置に残されている一時フォルダを削除するステップをさらに備える、
ことを特徴とする請求項１６に記載の情報処理方法。
【請求項２３】
請求項８に記載の情報処理装置の前記通信手段に接続可能な記録再生装置であって、
前記通信手段から取り外された状態において、前記外部記憶装置内に一時フォルダが残されているかどうかを検出する手段と、
前記外部記憶装置内に残されている一時フォルダを削除する手段と、
を具備することを特徴とする記録再生装置。
【請求項２４】
データの記録再生を行なう記録再生装置であって、
第１のデータ・ストリーム・ファイルを転送する情報処理装置を接続する通信手段と、
第２のデータ・ストリーム・ファイル及び前記第２のデータ・ストリーム・ファイルを管理する第２の管理情報ファイルが所定のディレクトリ構造により記録される第１の記録手段と、
前記情報処理装置から転送された前記第１のデータ・ストリーム・ファイル及び前記第１の管理情報ファイルが前記所定のディレクトリ構造により記録される第２の記録手段と、
前記第１のデータ・ストリーム・ファイル及び前記第１の管理情報ファイルを前記第２の記録手段に記録制御する記録制御手段と、
前記第２の記録手段に記録させた前記第１のデータ・ストリーム・ファイル及び前記第１の管理情報ファイルに基づいて、前記第１の記録手段に記録された対応する前記第２のデータ・ストリーム・ファイル及び前記第２の管理情報ファイルに対して追記又は更新制御を行なう追記・更新制御手段と、
を具備することを特徴とする記録再生装置。
【請求項２５】
前記所定のディレクトリ構造は、データ・ストリーム・ファイル格納用フォルダと、管理情報ファイル格納用フォルダを備え、
前記記録制御手段は、前記第２の記録手段内のデータ・ストリーム・ファイル格納用フォルダに前記第１のデータ・ストリーム・ファイルを転送するとともに、前記データ・ストリーム・ファイル格納用フォルダ内の前記第１のデータ・ストリーム・ファイルを用いて前記第１の管理情報ファイルを作成して前記第２の記録手段内の管理情報ファイル格納用フォルダに格納し、
前記追記・更新制御手段は、前記第２の記録手段内のデータ・ストリーム・ファイル格納用フォルダ内のデータ・ストリーム・ファイルと前記第２の記録手段内の管理情報格納用フォルダ内の管理情報ファイルを前記第１の記憶手段内のそれぞれ該当するフォルダ内にそれぞれ移動させた後に、前記第２の記録手段の記録内容を削除する、
ことを特徴とする請求項２４に記載の記録再生装置。
【請求項２６】
前記所定のディレクトリ構造は、動画像ストリームを記録するための所定のフォルダの直下に、各動画像ストリーム・ファイルを格納するストリーム格納用フォルダと、動画像ストリーム・ファイル毎の属性情報ファイルを格納する属性情報ファイル格納用フォルダと、ストリーム格納用フォルダ内の動画像ストリーム・ファイルの再生順序に関連する情報からなる再生リスト・ファイルを格納する再生リスト格納用フォルダと、再生リスト・ファイルに基づく動画像ストリーム・ファイルの再生動作を制御する際に使用する情報を記載した１以上の管理情報ファイルをそれぞれ格納し、
前記記録制御手段は、転送対象となる各動画像ストリーム・ファイルを前記第２の記録手段内のストリーム格納用フォルダに転送し、前記第２の記録手段内のストリーム格納用フォルダ内の各動画像ストリーム・ファイルを分離及び再統合して得られるパラメータに基づいて属性情報ファイルを生成して前記第２の記録手段内の属性情報ファイル格納用フォルダに保存し、該生成した属性情報ファイルに対する再生リスト・ファイルを生成して前記第２の記録手段内の再生リスト格納用フォルダに保存し、前記第２の記録手段内に管理情報ファイルを生成し、
前記追記・更新制御手段は、前記第２の記録手段内の動画像ストリーム・ファイル、属性情報ファイル、再生リスト・ファイルを前記第１の記録手段内の該当する各フォルダに移動し、前記第２の記録手段内の管理情報ファイルに対して再生リスト・ファイルを追加するための編集を行なう、
ことを特徴とする請求項２５に記載の記録再生装置。
【請求項２７】
前記追記・更新制御手段は、前記追記又は更新制御の前に、前記第１の管理情報ファイルに含まれる所定のファイルを前記第１の記録手段に設けられたバックアップ・フォルダに格納する、
ことを特徴とする請求項２４に記載の記録再生装置。
【請求項２８】
前記追記・更新制御手段は、前記追記処理した後に、前記第１の記録手段に記録された前記第２の管理情報ファイルに含まれるインデックス・ファイル及び動画像オブジェクト・ファイルを更新する、
ことを特徴とする請求項２７に記載の記録再生装置。
【請求項２９】
前記記録制御手段は、転送対象となる動画像ストリーム・ファイル群を所定のサイズ以下となる１以上のグループに分け、グループ毎に、前記第２の記録手段への動画像ストリーム・ファイルの転送とこれに伴う属性情報ファイル及び再生リスト・ファイルの生成と管理情報ファイルの編集処理を順次行なう、
ことを特徴とする請求項２６に記載の記録再生装置。
【請求項３０】
情報処理装置内の第１のデータ・ストリーム・ファイルを、所定のディレクトリ構造により第２のデータ・ストリーム・ファイル及び前記第２のデータ・ストリーム・ファイルを管理する第２の管理情報ファイルを記録している記録再生装置に転送するためのデータ処理をコンピュータ上で実行するようにコンピュータ可読形式で記述されたコンピュータ・プログラムであって、前記コンピュータに対し、
前記ファイル転送制御手段は、前記第１のデータ・ストリーム・ファイル及び前記第１のデータ・ストリーム・ファイルを管理する第１の管理情報ファイルを前記記録再生装置に記録制御する第１の手順と、
前記記録再生装置に記録させた前記第１のデータ・ストリーム・ファイル及び前記第１の管理情報ファイルに基づいて、前記記録再生装置に記録されている前記第２のデータ・ストリーム・ファイル及び前記第２の管理情報ファイルに対して追記又は更新制御を行なう第２の手順と、
を実行させることを特徴とするコンピュータ・プログラム。
【発明の詳細な説明】
【技術分野】
【０００１】
本発明は、データ・ファイルの保存、再生、転送などの処理を行なうデータ処理システム、情報処理装置及び情報処理方法、記録再生装置、並びにコンピュータ・プログラムに係り、特に、外付け接続された周辺機器から収集したデータの保存、再生、転送などの処理を行なうデータ処理システム、情報処理装置及び情報処理方法、記録再生装置、並びにコンピュータ・プログラムに関する。
【０００２】
さらに詳しくは、本発明は、デジタルカメラなどのデータ記録再生装置を周辺機器の１つとして外付け接続して、記録されたコンテンツを収集して、保存、再生、転送（書き戻し）などの処理を行なうデータ処理システム、情報処理装置及び情報処理方法、記録再生装置、並びにコンピュータ・プログラムに係り、特に、周辺機器として外付け接続したデータ記録再生装置から一旦収集したコンテンツをデータ記録再生装置に再生可能な形式で書き戻しを行なうデータ処理システム、情報処理装置及び情報処理方法、記録再生装置、並びにコンピュータ・プログラムに関する。
【背景技術】
【０００３】
近年、ハード・ディスク・ドライブ（ＨＤＤ）の大容量化、小型化、低価格化に伴い、さまざまな携帯機器にＨＤＤが搭載されるようになってきている。例えば、デジタルビデオカメラに数十ＧバイトクラスのＨＤＤを内蔵することにより、数時間乃至数十時間に及ぶ動画像の撮影することができ、さらにＨＤＤのランダム・アクセス機能を活用して動画や静止画などのコンテンツを自在に編集することが可能になる。
【０００４】
例えば、カメラ部と記録再生装置部とを分離可能に結合し、記録再生装置部として、光ディスク記録再生装置、ハード・ディスク記録再生装置、リムーバブルハードディスク記録再生装置、テープ記録再生装置を有し、これら記録再生装置とカメラ部との接続インターフェース及び結合機構を共通化して、用途に応じ、圧縮記録方式を選択して記録再生できるように構成されたデジタルビデオカメラについて提案がなされている（例えば、特許文献１を参照のこと）。また、記録再生装置部において、デジタル動画圧縮／伸長方式として、ＭｏｔｉｏｎＪＰＥＧ、ＭＰＥＧ１、ＭＰＥＧ２、ＭＰＥＧ４、ＤＶフォーマットのうち、いずれか２つ以上の方式の圧縮／伸長回路と、その切り替えスイッチを設け、１台のカメラでいずれか２つ以上の圧縮／伸長方式を切り換えて記録再生することができる。
【０００５】
ＨＤＤを記録媒体に用いるデジタルビデオカメラは、ＦＡＴ（Ｆｉｌｅ  Ａｌｌｏｃａｔｉｏｎ  Ｔａｂｌｅ）などのファイル・システムを採用して、撮影した画像をファイルとして記録するのが一般的である。
【０００６】
例えば、ＦＡＴファイル・システムを採用したハード・ディスクを記憶処理装置として搭載し、ＦＡＴの内容を解析して、ハード・ディスクの空き領域の連続性に係る情報を検出するデジタルビデオカメラについて提案がなされている（例えば、特許文献２を参照のこと）。このデジタルビデオカメラは、ＦＡＴの解析結果に基づいて検出された連続性に係る情報から、ハード・ディスクがデータの記憶に適している状態か否かを判断することができる。
【０００７】
また、デジタルビデオカメラを、ＵＳＢ（Ｕｎｉｖｅｒｓａｌ  Ｓｅｒｉａｌ  Ｂｕｓ）ケーブルなどを用いてパーソナル・コンピュータに接続するという利用形態も挙げられる。このような場合、撮影した画像ファイルをデジタルビデオカメラからパーソナル・コンピュータへ転送し、パーソナル・コンピュータ上で提供されるリッチなＧＵＩ（Ｇｒａｐｈｉｃａｌ  Ｕｓｅｒ  Ｉｎｔｅｒｆａｃｅ）操作環境を介して画像ファイルの保存や管理、再生、画質変換などの画像処理、画像編集といったさまざまなデータ処理を施すことができる。
【０００８】
例えば、ソニー株式会社が市販するデジタルビデオカメラＤＣＲ−ＳＲ１００は、３０ＧバイトのＨＤＤを内蔵し、ＳＤ（Ｓｔａｎｄａｒｄ  Ｄｅｆｉｎｉｔｉｏｎ：標準解像度）画像をＭＰＥＧ２−ＰＳ（Ｍｏｖｉｎｇ  Ｐｉｃｔｕｒｅ  Ｅｘｐｅｒｔｓ  Ｇｒｏｕｐ  ２  −  Ｐｒｏｇｒａｍ  Ｓｔｒｅａｍ）ファイルとして記録するが、カメラ本体で再生するだけでなく、ＵＳＢケーブルでパーソナル・コンピュータに接続して、コンピュータ内のＨＤＤへ動画像ストリーム・ファイルをコピーすることができる。
【０００９】
デジタルビデオカメラを始めＨＤＤを内蔵した情報記録再生機器の多くは、ＵＳＢスレーブとしてパーソナル・コンピュータに接続される。すなわち、ＵＳＢマスタとしてのパーソナル・コンピュータ側からは、デジタルビデオカメラは、マスストレージ・デバイスすなわち外付け接続されたＵＳＢハード・ディスクの１つとして認識され、パーソナル・コンピュータ側からはマスストレージ・クラスを用いてファイル・アクセスを行なうことができる。また、ＵＳＢ接続されている間のデジタルビデオカメラは、カメラ本来の画像記録・再生機能は減勢され、ＵＳＢスレーブすなわち外付けＨＤＤとしてのみ動作する。
【００１０】
例えば、主たる機能がデジタルカメラであるとともに、パーソナル・コンピュータに接続して多量のデータを保存できるマスストレージ・デバイスとして動作するデジタルカメラについて提案がなされている（例えば、特許文献３を参照のこと）。このデジタルカメラは、画像ファイルを撮影した後、瞬時にマスストレージ・デバイス自身にファイルを生成して、パーソナル・コンピュータにファイルとして表示することができる。
【００１１】
ところで、ユーザが撮影画像を利用する形態の１つとして、デジタルビデオカメラからパーソナル・コンピュータに一旦取り込んだ画像をデジタルビデオカメラに書き戻して、デジタルビデオカメラ上で再生・編集することが挙げられる。この書き戻し処理は、パーソナル・コンピュータ側において、ローカル・ディスクに保存したストリーム・ファイルをマスストレージ・デバイスとしてのカメラ内蔵のＨＤＤにコピーする処理に相当する。ＵＳＢ接続中のデジタルビデオカメラはマスストレージ・デバイスとしてしか動作しないので、このような書き戻し処理は、基本的には、パーソナル・コンピュータ側で起動するオーサリング・エンジンやその他のアプリケーション・ツールによって実行される。
【００１２】
ＳＤ画像撮影専用のＨＤＤ内蔵デジタルビデオカメラでは、主に画像をＤＶＤ−Ｖｉｄｅｏに変換することを想定して、ＭＰＥＧ２−ＰＳファイルとして撮影画像を記録するものが多い。この種のデジタルビデオカメラでは、ＵＳＢ接続したパーソナル・コンピュータからカメラ内蔵ＨＤＤ内の所定のフォルダにＭＰＥＧ２−ＰＳファイルをコピーすると、そのままカメラ本体側でも再生可能になる。すなわち、パーソナル・コンピュータからデジタルビデオカメラへの画像ファイルの書き戻しを容易に行なうことができる。これは、カメラ内蔵ＨＤＤ内のフォルダ構造（若しくはディレクトリ構造）が比較的簡素であることにも依拠する。
【００１３】
他方、最近では、ＨＤ（Ｈｉｇｈ  Ｄｅｆｉｎｉｔｉｏｎ）画像を記録するビデオカメラ規格としてＡＶＣＨＤが策定されている。ＡＶＣＨＤは、圧縮率の高いＭＰＥＧ−４  ＡＶＣ／Ｈ．２６４方式を採用し、ＨＤ画像を低容量・低速度のメディアへ記録可能にすることを主な目的としている。現在はＤＶＤディスクへの記録を想定しているが、ＡＶＣＨＤフォーマットに従ってメモリカードやＨＤＤなどの多様なメディアへの記録も可能である。
【００１４】
ＡＶＣＨＤフォーマットでは、ＨＤ画像をＭＰＥＧ２−ＴＳファイルとして記録するが、ストリーム・ファイル単体としてメディア上に存在するだけでなく、動画像ファイルを再生したり編集したりするための複数の管理情報ファイルを付随して保存するようになっており、複雑なフォルダ構造を備えている。
【００１５】
このため、上述したＳＤ画像撮影専用のデジタルビデオカメラの場合とは相違し、ＡＶＣＨＤに準拠したデジタルビデオカメラにおいては、単にストリーム・ファイルを所定のフォルダにコピーするだけでは、書き戻したストリーム・ファイルをカメラ本体側で再生することはできない。すなわち、ストリーム・ファイルをパーソナル・コンピュータから書き戻して再利用するためには、デジタルビデオカメラの内蔵ＨＤＤにストリーム・ファイルをコピーするだけでなく、これに付随すべき管理情報ファイルを内蔵ＨＤＤの記憶領域上に再構築して、全体としてＡＶＣＨＤフォーマットに準拠するような形に加工する、すなわち適当なＡＶＣＨＤ追記を行なう必要がある。
【００１６】
具体的には、パーソナル・コンピュータからＨＤ画像撮影型のＨＤＤ内蔵デジタルビデオカメラへストリーム・ファイルをコピーする際には、ＡＨＣＨＤフォーマットに従いながら、所定のフォルダ内にストリーム・ファイルを追加記録していかなければならない。
【００１７】
しかしながら、パーソナル・コンピュータ上で動作するアプリケーションやオーサリング・エンジンは、通常、複数のコンテンツ・ファイルを一括でオーサリングすること（言い換えれば、ＡＶＣＨＤフォーマットに則った規定のフォルダ構造を１つの単位としてオーサリングを行なうこと）を想定して設計されているため、内蔵ＨＤＤに既にＡＶＣＨＤフォーマットに則って記録されている他のストリーム・ファイルに追加記録していく方法には適していないことが多い。
【００１８】
また、内蔵ＨＤＤに追加記録するストリーム・ファイルに付随する管理情報ファイルを生成する際には、ストリームを一旦動画像データと音響データに分離（Ｄｅｍｕｘ）しさらに再統合（Ｍｕｘ）して管理情報を構成する各種パラメータを取得する必要がある。その際、ストリームを分離し再統合した一時ファイルを生成するための十分な空き容量をパーソナル・コンピュータのローカル・ディスクに確保する必要がある。
【００１９】
そして、ストリームの一時ファイルをパーソナル・コンピュータのローカル・ディスクに生成して、デジタルビデオカメラの内蔵ＨＤＤにストリーム・ファイルの追加記録を行なう場合、（１）ローカル・ディスク上に一時ファイルを生成し、（２）一時ファイルのうち必要なファイルをＵＳＢケーブル経由でデジタルビデオカメラ側に転送し、（３）デジタルビデオカメラの内蔵ＨＤＤ上で管理情報ファイルを更新する、というそれぞれの処理において時間がかかってしまう。
【００２０】
【特許文献１】特開平１０−１７４０３２号公報
【特許文献２】特開２００６−７９４６７号公報
【特許文献３】特開２０００−３０７９１１号公報
【発明の開示】
【発明が解決しようとする課題】
【００２１】
本発明の目的は、デジタルカメラなどのデータ記録再生装置を周辺機器の１つとして外付け接続して、記録されたコンテンツを収集して、保存、再生、転送などの処理を好適に行なうことができる、優れたデータ処理システム、情報処理装置及び情報処理方法、記録再生装置、並びにコンピュータ・プログラムを提供することにある。
【００２２】
本発明のさらなる目的は、周辺機器として外付け接続したデータ記録再生装置から一旦収集したコンテンツを、データ記録再生装置上で再生可能となるように転送することができる、優れたデータ処理システム、情報処理装置及び情報処理方法、記録再生装置、並びにコンピュータ・プログラムを提供することにある。
【００２３】
本発明のさらなる目的は、ＨＤ画像ファイルを、ＡＶＣＨＤに準拠したデータ記録再生装置上で再生可能となるように、ＡＶＣＨＤフォーマットに則った形式で好適に転送することができる、優れたデータ処理システム、情報処理装置及び情報処理方法、記録再生装置、並びにコンピュータ・プログラムを提供することにある。
【００２４】
本発明のさらなる目的は、データ記録再生装置に既に記録されている他のコンテンツに対しＡＶＣＨＤフォーマットに則った形式で追加記録していく方法によって、ＡＶＣＨＤに準拠したデータ記録再生装置上で再生可能となるようにコンテンツを転送することができる、優れたデータ処理システム、情報処理装置及び情報処理方法、記録再生装置、並びにコンピュータ・プログラムを提供することにある。
【００２５】
本発明のさらなる目的は、複数のコンテンツを一括してオーサリングする既存のＡＶＣＨＤオーサリング・エンジンを用いながら、効率よく、より短時間で、ＡＶＣＨＤに準拠したデータ記録再生装置上で再生可能となるようにコンテンツを転送することができる、優れたデータ処理システム、情報処理装置及び情報処理方法、記録再生装置、並びにコンピュータ・プログラムを提供することにある。
【課題を解決するための手段】
【００２６】
本発明は、上記課題を参酌してなされたものであり、その第１の側面は、通信手段を介して接続された記録再生装置に対して、第１のデータ・ストリーム・ファイル及び前記第１のデータ・ストリーム・ファイルを管理する第１の管理情報ファイルを転送する制御手段を有する情報処理装置と、
第２のデータ・ストリーム・ファイル及び前記第２のデータ・ストリーム・ファイルを管理する第２の管理情報ファイルが所定のディレクトリ構造により記録される第１の記録手段と、前記情報処理装置から転送された前記第１のデータ・ストリーム・ファイル及び前記第１の管理情報ファイルが前記所定のディレクトリ構造により記録される第２の記録手段を有する記録再生装置を備え、
前記情報処理装置の制御手段は、
前記第１のデータ・ストリーム・ファイル及び前記第１の管理情報ファイルを前記第２の記録手段に記録制御した後に、
前記第２の記録手段に記録させた前記第１のデータ・ストリーム・ファイル及び前記第１の管理情報ファイルに基づいて、前記第１の記録手段に記録された対応する前記第２のデータ・ストリーム・ファイル及び前記第２の管理情報ファイルに対して追記又は更新制御を行なう、
ことを特徴とするデータ処理システムである。
【００２７】
本発明に係るデータ処理システムは、デジタルビデオカメラなどに相当するデータ記録再生装置と、パーソナル・コンピュータに相当する情報処理装置で構成され、各装置間はＵＳＢケーブルやその他の通信手段によって接続されている。但し、ここで言う「システム」とは、複数の装置（又は特定の機能を実現する機能モジュール）が論理的に集合した物のことを言い、各装置や機能モジュールが単一の筐体内にあるか否かは特に問わない（以下、同様）。
【００２８】
近年、ハード・ディスク・ドライブの大容量化、小型化、低価格化に伴い、ＨＤＤ型デジタルビデオカメラが普及しつつあるが、ＦＡＴなどのファイル・システムを採用してハード・ディスク内の画像ストリーム・ファイルを記録するのが一般的である。また、ＨＤ画像を記録するビデオカメラ規格としてＡＶＣＨＤが策定され、ＡＶＣＨＤフォーマットに従ってメモリカードやＨＤＤなどの多様なメディアへの記録も可能である。
【００２９】
他方、デジタルビデオカメラをＵＳＢケーブル経由でパーソナル・コンピュータに接続するという利用形態がある。このような場合、撮影した画像ファイルをデジタルビデオカメラからパーソナル・コンピュータへ転送し、パーソナル・コンピュータ上でさまざまなデータ処理を施すことができる。さらに、デジタルビデオカメラからパーソナル・コンピュータに一旦取り込んだ画像をデジタルビデオカメラに書き戻し、デジタルビデオカメラ上で再度利用したいことがある。
【００３０】
ここで、ＡＶＣＨＤフォーマットでは、ＨＤ画像をＭＰＥＧ２−ＴＳファイルとして記録するが、ストリーム・ファイルが単体でメディア上に存在するだけでなく、動画像ファイルを再生したり編集したりするための複数の管理情報ファイルを付随して保存するようになっており、複雑なフォルダ構造を備えている。このため、ＡＶＣＨＤに準拠したデジタルビデオカメラにおいては、単にファイルを所定のフォルダにコピーするだけでは、書き戻したストリーム・ファイルをカメラ本体側で再生することはできない、という問題がある。
【００３１】
ストリーム・ファイルをパーソナル・コンピュータから書き戻して再利用するためには、デジタルビデオカメラの内蔵ＨＤＤにストリーム・ファイルをコピーするだけでなく、これに付随すべき管理情報ファイルを内蔵ＨＤＤの記憶領域上に再構築して、フォルダ構造全体としてＡＶＣＨＤフォーマットに準拠するような形に加工する、すなわちＡＶＣＨＤ追記を行なう必要がある。
【００３２】
本発明に係るデータ処理システムによれば、記録再生装置は、第２のデータ・ストリーム・ファイル及び前記第２のデータ・ストリーム・ファイルを管理する第２の管理情報ファイルが所定のディレクトリ構造により記録される第１の記録手段の他に、前記情報処理装置から転送された前記第１のデータ・ストリーム・ファイル及び前記第１の管理情報ファイルが前記所定のディレクトリ構造により記録される第２の記録手段を備えており、情報処理装置から記録再生装置へデータ・ストリーム・ファイルを転送する際には、前記第１のデータ・ストリーム・ファイル及び前記第１の管理情報ファイルを前記第２の記録手段に記録制御した後に、前記第２の記録手段に記録させた前記第１のデータ・ストリーム・ファイル及び前記第１の管理情報ファイルに基づいて、前記第１の記録手段に記録された対応する前記第２のデータ・ストリーム・ファイル及び前記第２の管理情報ファイルに対して追記又は更新制御を行なうことによって、データ・ファイルの書き戻し処理を行なうようになっている。
【００３３】
このようなデータ・ストリーム・ファイルの転送処理において、前記情報処理装置の制御手段は、前記第２の記録手段内のデータ・ストリーム・ファイル格納用フォルダにデータ・ストリーム・ファイルを転送するとともに、該データ・ストリーム・ファイル格納用フォルダ内のデータ・ストリーム・ファイルを用いて管理情報ファイルを作成して前記第２の記録手段内の管理情報ファイル格納用フォルダに格納する。そして、前記第２の記録手段内のデータ・ストリーム・ファイル格納用フォルダ内の第１のデータ・ストリーム・ファイルと前記第２の記録手段内の管理情報格納用フォルダ内の第１の管理情報ファイルを前記第１の記憶手段内のそれぞれ該当するフォルダ内にそれぞれ移動させた後に、前記第２の記録手段の記録内容を削除する。したがって、一時フォルダとしての第２の記憶手段を書き戻し先となる記録再生装置内のＨＤＤに生成することによって、書き戻し処理時間の短縮化や、情報処理装置としてのパーソナル・コンピュータ上のＨＤＤの空き容量の節約、突発的な通信の切断などの異常終了時の影響の抑止といった効果を得ることができる。
【００３４】
また、第２の記録手段から第１の記録手段の該当フォルダへデータ・ファイル及び管理情報ファイルを移動させた後には、一時フォルダとしての第２の記録手段を記録再生装置のファイル空間から削除して、空き領域として解放するようになっている。
【００３５】
記録再生装置がＡＤＣＨＤのようなビデオカメラ規格に準拠する場合、動画像ストリームを保存するための所定のディレクトリ構造として、動画像ストリームを記録するための所定のフォルダの直下に、各動画像ストリーム・ファイルを格納するストリーム格納用フォルダと、動画像ストリーム・ファイル毎の属性情報ファイルを格納する属性情報ファイル格納用フォルダと、ストリーム格納用フォルダ内の動画像ストリーム・ファイルの再生順序に関連する情報からなる再生リスト・ファイルを格納する再生リスト格納用フォルダと、再生リスト・ファイルに基づく動画像ストリーム・ファイルの再生動作を制御する際に使用する情報を記載した１以上の管理情報ファイルをそれぞれ格納するようになっている。
【００３６】
情報処理装置から記録再生装置へデータ・ストリーム・ファイルの転送すなわち書き戻しを行なう際には、情報処理装置の制御手段は、まず、転送対象となる各動画像ストリーム・ファイルを前記第２の記録手段内のストリーム格納用フォルダに転送する。そして、前記第２の記録手段内のストリーム格納用フォルダ内の各動画像ストリーム・ファイルを分離及び再統合し、その際に得られるパラメータに基づいて属性情報ファイルを生成して前記第２の記録手段内の属性情報ファイル格納用フォルダに保存する。
【００３７】
次いで、該生成した属性情報ファイルに対する再生リスト・ファイルを生成して前記第２の記録手段内の再生リスト格納用フォルダに保存し、前記第２の記録手段内に管理情報ファイルを生成する。
【００３８】
これらの処理を経て、前記第２の記録手段内の動画像ストリーム・ファイル、属性情報ファイル、再生リスト・ファイルを前記第１の記録手段内の該当する各フォルダに移動し、ＡＶＣＨＤに則った所定のディレクトリ構造内の前記第２の記録手段内の管理情報ファイルに対して再生リスト・ファイルを追加するための編集を行なう。
【００３９】
ここで、前記情報処理装置の制御手段は、前記追記又は更新制御の前に、前記第１の管理情報ファイルに含まれる所定のファイルを前記第１の記録手段に設けられたバックアップ・フォルダに格納することにより、データ・ストリーム・ファイルの再生処理に欠くことのできない管理情報ファイルの保全を図るようにしてもよい。
【００４０】
また、前記情報処理装置の制御手段は、前記追記処理した後に、前記第１の記録手段に記録された前記第２の管理情報ファイルに含まれるインデックス・ファイル及び動画像オブジェクト・ファイルを更新するようにする。
【００４１】
また、前記情報処理装置の制御手段は、転送対象となる動画像ストリーム・ファイル群を所定のサイズ以下となる１以上のグループに分けて、前記第２の記録手段への動画像ストリーム・ファイルの転送とこれに伴う属性情報ファイル及び再生リスト・ファイルの生成と管理情報ファイルの編集処理という一連の処理を、グループ毎に順次行なうようにする。転送対象となる動画像ストリーム・ファイル群をグループ分けして処理するのは、一時フォルダにすべてのストリーム・ファイルの一時ファイルを一括して生成しようとすると、処理時間が極めて長くなることを考慮したためである。
【００４２】
また、情報処理装置から記録再生装置へデータ・ストリーム・ファイルの転送、すなわち書き戻し処理を行なう最中に両装置間の接続が切断した場合や、その他の障害などにより処理が中断した場合、一時フォルダがデータ記録再生装置の第１の記憶装置内に残されてしまう場合がある。このような一時フォルダは、記憶空間のガーベイジ（ｇａｒｂａｇｅ）に過ぎず、記録再生装置の記録容量の浪費になる。
【００４３】
そこで、情報処理装置は、記録再生装置が接続されたときに、第２の記録手段に残されているデータ、すなわち一時フォルダを削除するようにすることが好ましい。また、記録再生装置は、情報処理装置に接続されていないスタンドアロン状態で、第２の記録手段としての一時フォルダが残されていることを検出すると、これを自律的に削除処理するようにしてもよい。
【００４４】
また、本発明の第２の側面は、情報処理装置内の第１のデータ・ストリーム・ファイルを、所定のディレクトリ構造により第２のデータ・ストリーム・ファイル及び前記第２のデータ・ストリーム・ファイルを管理する第２の管理情報ファイルを記録している記録再生装置に転送するためのデータ処理をコンピュータ上で実行するようにコンピュータ可読形式で記述されたコンピュータ・プログラムであって、
前記ファイル転送制御手段は、前記第１のデータ・ストリーム・ファイル及び前記第１のデータ・ストリーム・ファイルを管理する第１の管理情報ファイルを前記記録再生装置に記録制御する第１のステップと、
前記記録再生装置に記録させた前記第１のデータ・ストリーム・ファイル及び前記第１の管理情報ファイルに基づいて、前記記録再生装置に記録されている前記第２のデータ・ストリーム・ファイル及び前記第２の管理情報ファイルに対して追記又は更新制御を行なう第２のステップと、
を実行させることを特徴とするコンピュータ・プログラムである。
【００４５】
本発明の第２の側面に係るコンピュータ・プログラムは、コンピュータ上で所定の処理を実現するようにコンピュータ可読形式で記述されたコンピュータ・プログラムを定義したものである。換言すれば、本発明の第３の側面に係るコンピュータ・プログラムをコンピュータにインストールすることによって、コンピュータ上では協働的作用が発揮され、本発明の第１の側面に係るデータ処理システムにおいて、記録再生装置へデータ・ファイルの書き戻し処理を行なう情報処理装置と同様の作用効果を得ることができる。
【発明の効果】
【００４６】
本発明によれば、周辺機器として外付け接続したデータ記録再生装置から一旦収集したコンテンツを、データ記録再生装置上で再生可能となるように転送することができる、優れたデータ処理システム、情報処理装置及び情報処理方法、記録再生装置、並びにコンピュータ・プログラムを提供することができる。
【００４７】
また、本発明によれば、ＨＤ画像ファイルを、ＡＶＣＨＤに準拠したデータ記録再生装置上で再生可能となるように、ＡＶＣＨＤフォーマットに則った形式で好適に転送することができる、優れたデータ処理システム、情報処理装置及び情報処理方法、記録再生装置、並びにコンピュータ・プログラムを提供することができる。
【００４８】
また、本発明によれば、データ記録再生装置に既に記録されている他のコンテンツに対しＡＶＣＨＤフォーマットに則った形式で追加記録していく方法によって、ＡＶＣＨＤに準拠したデータ記録再生装置上で再生可能となるようにコンテンツを転送することができる、優れたデータ処理システム、情報処理装置及び情報処理方法、記録再生装置、並びにコンピュータ・プログラムを提供することができる。
【００４９】
また、本発明によれば、複数のコンテンツを一括してオーサリングする既存のＡＶＣＨＤオーサリング・エンジンを用いながら、効率よく、より短時間で、ＡＶＣＨＤに準拠したデータ記録再生装置上で再生可能となるようにコンテンツを転送することができる、優れたデータ処理システム、情報処理装置及び情報処理方法、記録再生装置、並びにコンピュータ・プログラムを提供することができる。
【００５０】
本発明に係る情報処理装置によれば、ＡＶＣＨＤフォーマットで記録するＨＤＤ内蔵型デジタルビデオカメラに対して、ＡＶＣＨＤ追加記録という形態によりコンテンツの書き戻しを行なうことが可能となる。この書き戻しに伴ってストリーム・ファイルの分離及び再統合を行なう際に、ストリームの一時ファイルをデジタルビデオカメラの内蔵ＨＤＤ上に生成することによって、書き戻し処理時間の短縮化と、ローカル・ディスクの空き容量の節約を実現することができるとともに、ＵＳＢケーブルの突発的な抜去などの異常にも対処することができる。
【００５１】
本発明のさらに他の目的、特徴や利点は、後述する本発明の実施形態や添付する図面に基づくより詳細な説明によって明らかになるであろう。
【発明を実施するための最良の形態】
【００５２】
以下、図面を参照しながら本発明の実施形態について詳解する。
【００５３】
図１には、本発明の一実施形態に係るデータ処理システム１の構成を示している。図示のデータ処理システム１は、ＨＤＤ内蔵デジタルビデオカメラ２と、ＵＳＢケーブル３経由でこのデジタルビデオカメラ２を外部接続するパーソナル・コンピュータ４で構成される。
【００５４】
本実施形態では、ＨＤＤ内蔵デジタルビデオカメラ２は、ＡＶＣＨＤフォーマットに従ってＨＤ画像をＭＰＥＧ２−ＴＳストリームとして記録することを想定している。ＡＶＣＨＤは、ソニー株式会社等が策定したビデオカメラ規格であり、圧縮率の高いＭＰＥＧ−４  ＡＶＣ／Ｈ．２６４方式を採用し、ＨＤ画像を低容量・低速度のメディアへ記録可能にすることを主な目的としている。
【００５５】
また、パーソナル・コンピュータ４は、ＵＳＢマスタとして動作し、ＵＳＢスレーブとしてのデジタルビデオカメラ２をＵＳＢケーブルで接続することを想定している。パーソナル・コンピュータ４にとっては、ＵＳＢ接続されたデジタルビデオカメラ２は外付け接続されたマスストレージ・デバイスの１つとして映る。そして、ＵＳＢ接続中のデジタルビデオカメラ２は、マスストレージ・デバイスとしてしか動作せず、画像記録や画像編集などその他の機能は減勢されている。
【００５６】
図２には、パーソナル・コンピュータ４の内部構成例を示している。同装置は、プロセッサ４１を中心に構成されている。プロセッサ４１は、オペレーティング・システム（ＯＳ）が提供するプログラム実行環境下で、メモリに記憶されたプログラムに基づいて各種の処理を実行する。ＯＳは、ビットマップ表示形式をサポートし、且つＧＵＩ操作環境を提供しているものとする。
【００５７】
プロセッサ４１は、バス４２を介して接続されている各種の周辺機器を制御している。バス４２に接続された周辺機器は次のようなものである。
【００５８】
メモリ４３は、例えばＤＲＡＭ（Ｄｙｎａｍｉｃ ＲＡＭ）などの半導体メモリで構成され、プロセッサ４１において実行されるプログラム・コードをロードしたり、プログラム実行中の環境変数やシステム変数を一時格納したりするために使用される。メモリ４３は、プロセッサ４１のメモリ空間を構成する。
【００５９】
ディスプレイ・コントローラ４４は、プロセッサ４１から送られてくる描画命令に従って表示画像を生成し、表示装置４５に送る。ディスプレイ・コントローラ４４に接続された表示装置４５は、ディスプレイ・コントローラ４４から送られた表示画像情報に従い、その画像を画面に表示出力する。
【００６０】
入出力インターフェース４６は、キーボード４６Ａやマウス４６Ｂが接続されており、キーボード４６Ａやマウス４６Ｂからのユーザ入力信号をプロセッサ４１へ転送する。
【００６１】
ネットワーク・インターフェース４７は、ＬＡＮ（Ｌｏａｃｌ  Ａｒｅａ  Ｎｅｔｗｏｒｋ）やインターネットなどの外部ネットワークに接続されており、インターネットを介したデータ通信を制御する。すなわち、プロセッサ４１から送られたデータをインターネット上の他の装置へ転送するとともに、インターネットを介して送られてきたデータを受け取りプロセッサ４１に渡す。例えば、プログラムやデータなどをネットワーク経由で外部から受信することができる。
【００６２】
ＨＤＤコントローラ４８は、ローカル・ディスクとして動作するＨＤＤ４９へのデータの入出力を制御する。ＨＤＤ４９には、プロセッサ４１が実行すべきオペレーティング・システム（ＯＳ）、アプリケーション・プログラム、ドライバ・プログラム、さらにはプログラムによって参照又は再生処理が行なわれるデータやコンテンツなどが格納されている。本実施形態では、各プログラムは、ＨＤＤ４９上に実行可能形式でインストールされる。
【００６３】
ＵＳＢインターフェース５０は、ＵＳＢマスタとしてのパーソナル・コンピュータ４本体に、外付けＵＳＢハード・ディスクやＵＳＢメモリといったマスストレージ・デバイス、プリンタ、スキャナ、モデムなどのＵＳＢデバイスを外付け接続し、バス４２とＵＳＢ間のインターフェース・プロトコルを実現する。既に述べたように、ＨＤＤを内蔵するデジタルビデオカメラ２は、ＵＳＢスレーブすなわちマスストレージ・デバイスとして、ＵＳＢケーブル３を介してＵＳＢインターフェースに接続することができる。
【００６４】
なお、パーソナル・コンピュータ４を構成するためには、図２に示した以外にも多くの電気回路などが必要である。但し、これらは当業者には周知であり、また、本発明の要旨を構成するものではないので、本明細書中では省略している。また、図面の錯綜を回避するため、図中の各ハードウェア・ブロック間の接続も一部しか図示していない点を了承されたい。
【００６５】
図３には、デジタルビデオカメラ２の内部構成を模式的に示している。図示のデジタルビデオカメラ２は、ＡＶＣＨＤに準拠し、カメラ・ブロック２１で撮影した動画像ストリームを符号化部２２でＭＰＥＧ２−ＴＳストリームに符号化して、これを記録部２４によって機器内蔵の記録メディアとしてのＨＤＤ２５に記録する。また、ＵＳＢインターフェース２８からＵＳＢケーブル３を介してＵＳＢマスタに接続されているときには、ＵＳＢスレーブすなわちＵＳＢマスタに外付け接続されたマスストレージ・デバイスとして動作する。
【００６６】
中央処理部２６は、ＲＡＭ（Ｒａｎｄｏｍ  Ａｃｃｅｓｓ  Ｍｅｍｏｒｙ）な度で構成される一時記憶媒体２７に実行プログラムをロードするとともにシステム変数や環境変数を一時的に格納しながら、プログラムを実行するという形式で当該デジタルビデオカメラ２全体の処理動作を統括的にコントロールする。ここで言う処理動作としては、カメラ・ブロック１における動画像撮影やこれに伴うオート・フォーカス機能、自動露光、手振れ補正、オート・シャッターといったカメラ・ワーク、記録部２４におけるＨＤＤ２５への動画像ストリームの記録、並びにＨＤＤ２６上に記録されたストリームの編集処理、ＵＳＢスレーブすなわちマスストレージ・デバイスとしての動作処理（但し、ＵＳＢ接続されている場合）などである。
【００６７】
カメラ・ブロック２１は、被写体像を取り込むレンズ、入力光量に応じて光電変換により電気的な画像信号を生成するＣＣＤ（ＣｈａｒｇｅＣｏｕｐｌｅｄ Ｄｅｖｉｃｅ）やＣＭＯＳ（Ｃｏｍｐｌｅｍｅｎｔａｒｙ Ｍｅｎｔａｌ−Ｏｘｉｄｅ  Ｓｅｍｉｃｏｎｄｕｃｔｏｒ）などの固体撮像素子、画像信号をデジタル変換するＡ／Ｄ変換器、デジタル画像信号からＲＧＢ信号を算出するデモザイク処理部など（図示を省略）で構成される。
【００６８】
符号化部２２は、動画像ストリームをＭＰＥＧ２−ＴＳ方式で符号化して、固定バイト長のＴＳパケットからなるＡＶストリームを出力する。ＴＳパケットは、ストリーム・バッファ２３に一旦格納された後、記録部２４に転送する。記録部２４はストリーム・バッファ２３を介してＴＳパケット・データを特定の時間間隔で受信すると、これをＨＤＤ２５の記憶領域上に記録する。
【００６９】
記録部２４は、ＡＶストリームやその他のユーザ・データの記録を行なう。また、ＡＶＣＨＤ規格に準じたフォーマットで映像ストリームの記録を行ない、録画編集機能を実現することができる。
【００７０】
ＡＶＣＨＤは、ＨＤ画像を低容量・低速度のメディアへ記録可能にすることを主な目的としたビデオカメラの規格であり、既存のディスク・フォーマット規格の内容を適宜継承しながら、記録互換、追記互換機能を追加して、ＨＤビデオカメラ用のデータ・フォーマットなどに関する仕様を策定している。具体的には、ビデオカメラで撮影した動画像コンテンツをＭＰＥＧ２−ＴＳストリームに符号化して記録する際に、コンテンツ・データとしてのクリップＡＶストリーム（ＣｌｉｐＡＶＳｔｒｅａｍ）を記録する際に、再生リスト（ＰｌａｙＬｉｓｔ）、クリップ情報（ＣｌｉｐＩｎｆｏｒｍａｔｉｏｎ）という各種別のファイルを用いることで、好適に録画編集機能を実現することができる。
【００７１】
ここで、動画像データは、連続同期再生すなわち実時間再生が保証された再生が必要な単位となるデータのまとまりが１つのクリップ（Ｃｌｉｐ）を構成し、１つの動画像ファイルとして記録される。クリップＡＶストリームは、ＭＰＥＧ２−ＴＳ形式でストリームが格納されているファイルである。また、クリップ情報ファイルは、クリップＡＶストリーム・ファイルと対で存在し、実際のストリームを再生する上で必要となるストリームに関する情報が記載されたファイルである。そして、再生リストは、１以上のクリップに対してそれぞれ再生開始点（ＩＮ点）及び再生終了点（ＯＵＴ点）を指定して、動画像データの再生区間及び再生順序を指定する。
【００７２】
図４には、録画編集が可能な形式でユーザ・データをＡＶＣＨＤフォーマットによりＨＤＤ２５上に記録するための論理的なデータ構造の一例を示している。図示のように、デジタルビデオカメラ２で撮影した動画像データをＭＰＥＧ２−ＴＳストリームに符号化して記録する際に、インデックス（Ｉｎｄｅｘ）、動画像オブジェクト（ＭｏｖｉｅＯｂｊｅｃｔ）、再生リスト（ＰｌａｙＬｉｓｔ）、クリップ情報（ＣｌｉｐＩｎｆｏｒｍａｔｉｏｎ）、クリップＡＶストリーム（ＣｌｉｐＡＶＳｔｒｅａｍ）という各種別のファイルが用いられる。
【００７３】
【表１】
2008022504.tif 000003
【００７４】
インデックスのファイル種別レイヤでＨＤＤ２５上の記憶領域全体が管理されている。ユーザに見せるタイトル毎にインデックス・ファイルが作成され、動画オブジェクトとの対応関係を管理している。ここで言う「タイトル（Ｔｉｔｌｅ）」とは、（ユーザが認識できる）再生リスト（ＰｌａｙＬｉｓｔ）の集合体であり、一般的には１つの番組や日付毎のコンテンツからなる。ＡＶＣＨＤフォーマットでは、本来動画オブジェクト・ファイルで管理すべき再生リストの再生順をインデックス・ファイルのメタデータ内で管理している。記録メディアをプレーヤに装填した際にはまずインデックスが読み込まれ、ユーザはインデックスに記述されたタイトルを見ることができる。
【００７５】
動画オブジェクトは、再生制御を行なうためのコマンドの集合体であり、例えば既存のＲＯＭ規格フォーマットではタイトルが指定されたときに再生される再生リストを管理しているファイルである。動画オブジェクトへの参照は、タイトルの入り口としてインデックスに列挙されている。但し、ＡＶＣＨＤフォーマットでは、動画オブジェクト・ファイルを参照せずに、インデックス・ファイルのメタデータによって再生リストとタイトルの関係を管理するようになっている。
【００７６】
再生リストは、ユーザに見せるタイトルに対応して設けられ、１以上の再生項目（ＰｌａｙＩｔｅｍ）で構成される。各再生項目は、クリップに対する再生開始点（ＩＮ点）と再生終了点（ＯＵＴ点）を持つことで、その再生区間を指定している。そして、再生リスト内で複数の再生項目を時間軸上に並べることで、それぞれの再生区間の再生順序を指定することができる。また、異なるクリップを参照する再生項目を１つの再生リストに含めることができる。
【００７７】
クリップと再生リスト間の参照関係は、自由に設定することができる。例えば、１つのクリップに対する参照を、ＩＮ点及びＯＵＴ点の異なる２つのＰｌａｙＬｉｓｔから行なうことができる。さらに、タイトルと動画像オブジェクト間での参照関係も自由に設定することができる。再生リストは、クリップとの参照関係に応じて、実再生リスト（ＲｅａｌＰｌａｙＬｉｓｔ）と仮想再生リスト（ＶｉｒｔｕａｌＰｌａｙＬｉｓｔ）の２種類に大別される。
【００７８】
実再生リストは、オリジナル・タイトル用の再生リストであり、ビデオカメラにより録画・撮影した映像ストリームについての再生項目を記録した順に記録している。
【００７９】
仮想再生リストは、非破壊編集によりユーザ定義の再生リストを作成するための再生リストであり、仮想再生リスト独自のクリップ（ＡＶストリーム）を持たず、同リスト内の再生項目はいずれかの実再生リストに登録されているクリップ又はその一部の範囲を指している。すなわち、ユーザは複数のクリップから必要な再生区間のみを切り出して、これらを指す各再生項目を取りまとめて仮想再生リストを編集することができる。
【００８０】
クリップは、連続同期再生すなわち実時間再生が保証された再生が必要な単位となるデータのまとまりとして記録された動画像データのファイルであり、クリップＡＶストリーム・ファイル（Ｃｌｉｐ  ＡＶ  Ｓｔｒｅａｍ）とクリップ情報ファイル（Ｃｌｉｐ  Ｉｎｆｏｒｍａｔｉｏｎ）からなる。
【００８１】
コンテンツ・データとしてのクリップＡＶストリームは、ＭＰＥＧ２−ＴＳ形式でＨＤＤ２５に記録されたストリームが格納されているファイルである。ＡＶＣＨＤフォーマットでは、映像ストリームはこのファイル内に格納される。
【００８２】
クリップ情報ファイルは、クリップＡＶストリーム・ファイルと対で存在し、実際のストリームを再生する上で必要となるストリームに関する属性を定義するファイルである。具体的には、ストリームの符号化方法、ストリームのサイズ、再生時間→アドレス変換、再生管理情報、タイムマップ（但し、記録メディアがＤＶＤの場合）などを定義する情報がクリップ情報ファイルに含まれる。
【００８３】
続いて、デジタルビデオカメラ２による撮影操作に従ってＡＶストリームのクリップとともに再生リストが生成される手順について、図５Ａ〜図５Ｄを参照しながら説明する。
【００８４】
ユーザが録画開始してから録画停止する区間毎に再生項目が１つずつ作成される。また、録画・撮影したストリームの区切りで１つのクリップＡＶストリーム・ファイルとなり、これに伴ってクリップ情報ファイルも作成される。１つのクリップは連続同期再生すなわち実時間再生が保証された再生が必要な単位となる。
【００８５】
また、ユーザが録画を開始する度に、再生項目の先頭には、エントリ・マーク（ｅｎｔｒｙ  ｍａｒｋ）としてのＭａｒｋが付け加えられる（再生リスト内のエントリ・マークを「再生リスト・マーク（ＰＬＭ）」とも呼ぶ）。マークは、再生リスト中に存在し、再生コンテンツのある時間的位置を指す役割を持つ。１つの再生リスト内では、再生項目や再生リスト・マークには、連続的となるシーケンス番号が付与されている。動画像再生リスト（ＭｏｖｉｅＰｌａｙＬｉｓｔ）の先頭には必ず再生リスト・マークが打たれるという制約があるが、所定の編集操作により時間軸上で再生リスト・マークの位置を移動させることができる。
【００８６】
各エントリ・マークは、ユーザがストリームにアクセスするエントリ位置となる。したがって、隣接するエントリ・マーク間で仕切られる区間（並びに最後の再生リスト・マークから最後尾の再生項目の終端の区間）がユーザから見える最小の編集単位すなわち「チャプタ」となる。再生項目を再生順に並べることと、エントリ・マークを再生順に並べることで再生リストの再生順序が定義される。商品仕様では、複数の実再生リストをまとめて一続きのチャプタ群としてユーザに提示する。
【００８７】
図６には、ＡＶＣＨＤで規定されているディレクトリ構成を示している。ＢＤＭＶディレクトリの直下に配置されている “ＰＬＡＹＬＩＳＴ”、“ＣＬＩＰＩＮＦ”、“ＳＴＲＥＡＭ”は、それぞれ再生リスト、クリップ情報ファイル、クリップＡＶストリーム・ファイルを格納するためのサブディレクトリである。
【００８８】
ユーザが撮影画像を利用する形態の１つとして、デジタルビデオカメラ２からパーソナル・コンピュータ４に取り込んだ画像をデジタルビデオカメラ２に書き戻して持ち運び、デジタルビデオカメラ２上で再生・編集することが挙げられる。この書き戻し処理は、パーソナル・コンピュータ４側において、ローカル・ディスクに保存したストリーム・ファイルをマスストレージ・デバイスとしてのデジタルビデオカメラ２側のＨＤＤ２５にコピーする処理に相当する。ＵＳＢ接続中のデジタルビデオカメラ２はマスストレージ・デバイスとしてしか動作しないので、このような書き戻し処理は、基本的には、パーソナル・コンピュータ４側で起動するオーサリング・エンジンやその他のアプリケーション・ツールによって実行される。
【００８９】
ところが、ＡＶＣＨＤフォーマットでは、ＨＤ画像をＭＰＥＧ２−ＴＳファイルとして記録するが、図６に示したように、クリップＡＶストリーム・ファイルは複数の管理情報を付随して保存するという複雑なフォルダ構造を備えている。このため、パーソナル・コンピュータ４から書き戻したクリップＡＶストリーム・ファイルをデジタルビデオカメラ２上で再生できるようにするためには、インデックス・ファイル、動画像オブジェクト・ファイル、再生リスト・ファイル、クリップ情報ファイルをすべてＨＤＤ２５の記憶領域上に再構築して、フォルダ構造全体としてＡＶＣＨＤフォーマットに準拠するような形に加工する必要がある。具体的には、パーソナル・コンピュータ４からデジタルビデオカメラ２へストリーム・ファイルをコピーする際には、ＡＨＣＨＤフォーマットに従いながら、図６に示したフォルダ構造内にストリーム・ファイルを追加記録していかなければならない。さらに、図４に示した通りのデータ構造を再構築する必要がある。
【００９０】
ＵＳＢ接続中のデジタルビデオカメラ２はマスストレージ・デバイスとしてしか動作しない。そこで、書き戻し処理は、パーソナル・コンピュータ４側で起動するオーサリング・エンジンやその他のアプリケーション・ツールによって実行するのが相当である。しかしながら、既存のオーサリング・エンジンは、通常、複数のコンテンツ・ファイルを一括でオーサリングすること、言い換えれば、図６に示したフォルダ構造を１つの単位としてオーサリングを行なうことを想定して設計されている。このため、デジタルビデオカメラ２内蔵のＨＤＤ２５に既に図６に示したフォルダ構造で他のストリーム・データが記録されている場合に、この既存のフォルダ構造の中に書き戻し対象となるストリーム・ファイルを追加記録していくという方法には適していない。
【００９１】
また、内蔵ＨＤＤ２５に追加記録するストリーム・ファイルに付随する管理情報ファイルを生成する際には、ストリームを一旦動画像データと音響データに分離（Ｄｅｍｕｘ）しさら再統合（Ｍｕｘ）して、その間に管理情報を構成する各種パラメータを取得する必要がある。その際、ストリームを分離し再統合した一時ファイルが生成される。
【００９２】
ここで、パーソナル・コンピュータ４内のローカル・ディスク４９上にストリームの一時ファイルを作成してから、続いてデジタルビデオカメラ２内蔵のＨＤＤ２５にストリーム・ファイルの追加記録を行なうという手順をとった場合、（１）パーソナル・コンピュータ４内のローカル・ディスク４９上に一時ファイルを生成し、（２）一時ファイルのうち必要なファイルをＵＳＢケーブル３経由でパーソナル・コンピュータ４からデジタルビデオカメラ２側に転送し、（３）デジタルビデオカメラ２の内蔵ＨＤＤ２５上で管理情報ファイルを更新する、というそれぞれの処理において時間がかかってしまう。
【００９３】
そこで、本実施形態では、（１）デジタルビデオカメラ２内のＨＤＤ２５上にストリームの一時ファイルを生成し、（２）一時ファイルのうち必要なファイルをＨＤＤ２５上で既に存在するＡＶＣＨＤフォーマットの規定のフォルダに移動し、（３）ＨＤＤ２５上（パーソナル・コンピュータ４から見た外付けマスストレージ・デバイス上）でストリーム・ファイルに関する管理情報を更新する、という手順でストリーム・ファイルの書き戻しを行なうようにした。
【００９４】
図７には、デジタルビデオカメラ内のＨＤＤ２５上に一時フォルダ“ＰＣ＿ＡＰＰ”を生成してから、一時フォルダ内のファイルのうち必要なファイルをＨＤＤ２５上の適切なフォルダに移動する様子を示している。
【００９５】
パーソナル・コンピュータ４上で起動するオーサリング・モジュール（転送プログラム）は、外付けマスストレージ・デバイスとしてのＨＤＤ２５上の一時フォルダＰＣ＿ＡＰＰの下に、ＡＶＣＨＤフォーマットに則ったＢＤＭＶツリーを構築して、転送対象となるクリップＡＶストリーム・ファイルのコピーとこれに対応するクリップ情報ファイル並びに再生リスト・ファイルを生成する。また、便宜上、ＰＣ＿ＡＰＰ￥ＢＤＭＶ直下にインデックス・ファイル（Ｉｎｄｅｘ．ｂｄｍｖ）と動画像オブジェクト・ファイル（ＭｏｖｉｅＯｂｊｅｃｔ．ｂｄｍｖ）も生成する。
【００９６】
次いで、一時フォルダＰＣ＿ＡＰＰ￥ＢＤＭＶ下に格納されている転送対象となるクリップＡＶストリーム・ファイル、及びこれに対応するクリップ情報ファイルと再生リスト・ファイルを、本来の格納場所であるＡＶＣＨＤ￥ＢＤＭＶ下のＳＴＲＥＡＭ、ＣＬＩＰＩＮＦ、ＰＬＡＹＬＩＳＴの各フォルダ下に移動する。そして、ＡＶＣＨＤ￥ＢＤＭＶフォルダ直下のインデックス・ファイル（Ｉｎｄｅｘ．ｂｄｍｖ）と動画像オブジェクト・ファイル（ＭｏｖｉｅＯｂｊｅｃｔ．ｂｄｍｖ）に、新たに生成した再生リスト・ファイルを追加する。
【００９７】
上述した転送処理の後段における、同じハード・ディスク上で一時ファイルを本来のフォルダ内に移動する処理の実体はファイル・パスの変更で済むことから、短時間で完了する。したがって、複数のコンテンツを一括してオーサリングする（ＢＤＭＶツリーを構築する）既存のＡＶＣＨＤオーサリング・エンジン機能をそのまま用いながら、効率よく、より短時間でコンテンツのコピー（書き戻し）を行なうことができる。そして、ＡＶＣＨＤフォーマットに準拠した形式でコンテンツが書き戻されるので、デジタルビデオカメラ２上で書き戻したコンテンツを再生することが可能となる。
【００９８】
以下、パーソナル・コンピュータ４からデジタルビデオカメラ２内のＨＤＤ２５へコンテンツ（ストリーム・ファイル）を転送する手順について詳細に説明する。コンテンツの転送手順は、以下の５つのフェーズに大別される。
【００９９】
フェーズ１：
デジタルビデオカメラ２内のＨＤＤ２５に、一時ファイルを生成するための一時フォルダＰＣ＿ＡＰＰを作成し、この一時フォルダ内にＡＶＣＨＤと同じＢＤＭＶツリー構造を生成する。すなわち、書き戻しを行なうクリップＡＶストリーム・ファイルについての、再生リスト・ファイル、クリップ情報ファイル、ストリーム・ファイルの一時ファイルを作成して、ＰＣ＿ＡＰＰ￥ＢＤＭＶフォルダ以下のＰＬＡＹＬＩＳＴ、ＣＬＩＰＩＮＦ、ＳＴＲＥＡＭの各フォルダ内にそれぞれ保存する。
【０１００】
ここでは、図８に示すように、デジタルビデオカメラ２内のＨＤＤ２５にはＡＶＣＨＤフォーマットに従って各ファイルが格納されている状況下で、パーソナル・コンピュータ４内のローカル・ディスクに存在する２つのストリーム・ファイルを書き戻すことを想定している。図９には、デジタルカメラ２内のＨＤＤ２５の記憶領域上でフェーズ１の処理が行なわれる様子を示している。まず、ＨＤＤ２５のルート・フォルダ直下に一時フォルダとしてのＰＣ＿ＡＰＰフォルダを作成する。続いて、“ＰＣ＿ＡＰＰ￥ＢＤＭＶ”フォルダ内に書き戻し対象のストリームが含まれたＢＤＭＶツリーをオーサリングする。
【０１０１】
書き戻しの所要時間の大部分はこのフェーズに割り当てられる。具体的には、パーソナル・コンピュータ４がＣＰＵ４１として米インテル社製のＰｅｎｔｉｕｍ（登録商標）IV  ２．８ＧＨｚを使用し、５１２Ｍバイトのメインメモリを備えている場合、５０分のＨＤ動画像（ファイル・サイズとして４．３Ｇバイト）についての上記一時ファイルを作成する所要時間は３５分程度である。
【０１０２】
なお、図示の例では、ＭＰＥＧ２−ＴＳストリーム・ファイルをパーソナル・コンピュータ４からデジタルビデオカメラ２側にコピーする際にファイルの拡張子が“ｍ２ｔｓ”から“ｍｔｓ”に変更されているが、これはファイル名：拡張子名のフォーマットの相違に依拠するもので、本発明の本質ではない。
【０１０３】
フェーズ２：
ＢＤＭＶフォルダ内のインデックス・ファイル及び動画像オブジェクト・ファイルのバックアップを作成し、続いて、一時フォルダ（ＰＣ＿ＡＰＰ￥ＢＤＭＶ）下に生成した動画像再生リスト・ファイル、クリップ情報ファイル、クリップＡＶストリーム・ファイルなどの一時ファイル群を、ＡＶＣＨＤ￥ＢＤＭＶフォルダ下の該当フォルダにそれぞれ移動する。このフェーズは、ファイル・パスの変更が主な処理内容であり、極めて短時間で実行可能である。
【０１０４】
図１０には、デジタルカメラ２内のＨＤＤ２５の記憶領域上でこのフェーズが行なわれる様子を示している。
【０１０５】
まず、一時フォルダ内のインデックス・ファイル（ＩＮＤＥＸ．ＢＤＭＶ）と動画像オブジェクト・ファイル（ＭＯＶＩＥＯＢＪ．ＢＤＭＶ）の内容を更新する。インデックス・ファイルと動画像オブジェクト・ファイルの一時ファイルは、本来のＡＶＣＨＤ￥ＢＤＭＶフォルダ内の該当するファイルの内容をマージしたものに相当する。
【０１０６】
次いで、ＰＣ＿ＡＰＰ￥ＢＤＭＶフォルダ内のファイル名にロングｔｏショート変換を施して、拡張子のサイズを４文字から３文字に変換する。
【０１０７】
次いで、ＡＶＣＨＤ￥ＢＤＭＶフォルダ内にあるインデックス・ファイル（ＩＮＤＥＸ．ＢＤＭ）と動画像オブジェクト・ファイル（ＭＯＶＩＥＯＢＪ．ＢＤＭ）を一時フォルダＰＣ＿ＡＰＰの直下にコピーする。
【０１０８】
次いで、ＡＶＣＨＤ￥ＢＤＭＶフォルダ内に、本来のインデックス・ファイルと動画像オブジェクト・ファイルをバックアップするためのＢＡＣＫＵＰフォルダを生成する。そして、ＰＣ＿ＡＰＰフォルダの直下にコピーしたインデックス・ファイルと動画像オブジェクト・ファイルを、このＢＡＣＫＵＰフォルダ内に移動する。なお、バックアップ処理を行なうのは、インデックス・ファイルがＨＤＤ２５上の記憶領域全体を管理する重要なデータを持つことに依拠するものであり、本発明の要旨はバックアップ処理方法に限定されない。
【０１０９】
次いで、ＰＣ＿ＡＰＰ￥ＢＤＭＶ￥ＳＴＲＥＡＭフォルダ以下のすべてのクリップＡＶストリーム・ファイル（ＳＴＲＥＡＭフォルダ内の拡張子“．ＭＴＳ”を持つすべてのファイル）を、ＡＶＣＨＤ￥ＢＤＭＶ￥ＳＴＲＥＡＭフォルダへ移動する。
【０１１０】
次いで、ＰＣ＿ＡＰＰ￥ＢＤＭＶ￥ＣＬＩＰＩＮＦフォルダ以下のすべてのクリップ情報ファイル（ＣＬＩＰＩＮＦフォルダ内の拡張子“．ＣＰＩ”を持つすべてのファイル）を、ＡＶＣＨＤ￥ＢＤＭＶ￥ＣＬＩＰＩＮＦフォルダへ移動する。
【０１１１】
次いで、ＰＣ＿ＡＰＰ￥ＢＤＭＶ￥ＰＬＡＹＬＩＳＴフォルダ以下のすべての動画像再生リスト・ファイル（ＰＬＡＹＬＩＳＴフォルダ内の拡張子“．ＭＰＬ”を持つすべてのファイル）を、ＡＶＣＨＤ￥ＢＤＭＶ￥ＰＬＡＹＬＩＳＴフォルダへ移動する。
【０１１２】
フェーズ３：
ＡＶＣＨＤ￥ＢＤＭＶフォルダ直下のインデックス・ファイルと動画像オブジェクト・ファイルの書き換えを行なう。インデックス・ファイルは、ＨＤＤ２５の記憶領域全体を管理する大元のファイルであり、ユーザに見せるタイトルである再生リストの集合体と動画像オブジェクト・ファイルの対応関係を管理するとともに、再生リストの再生順をメタデータ内で管理している。また、動画像オブジェクト・ファイルは、ストリームの再生制御を行なうためのコマンドの集合体であり、タイトルが指定されたときに再生される再生リストを管理している。
【０１１３】
このフェーズの処理は、実際には、一時フォルダＰＣ＿ＡＰＰの直下にインデックス・ファイルと動画像オブジェクト・ファイルをコピーしてから、書き換え、同ファイルで上書きを行なうものであり、極めて短時間で終了する。
【０１１４】
図１１には、デジタルカメラ２内のＨＤＤ２５の記憶領域上でこのフェーズが行なわれる様子を示している。
【０１１５】
まず、動画像オブジェクト・ファイルの書き換えを行なう。具体的には、ＡＶＣＨＤ￥ＢＤＭＶ直下の動画像オブジェクト・ファイル（ＡＶＣＨＤ￥ＢＤＭＶ￥ＭＯＶＩＥＯＢＪ．ＢＤＭ）を削除してから、一時フォルダＰＣ＿ＡＰＰ￥ＢＤＭＶ直下の動画像オブジェクト・ファイル（ＰＣ＿ＡＰＰ￥ＢＤＭＶ￥ＭＯＶＩＥＯＢＪ．ＢＤＭ）をＡＶＣＨＤ￥ＢＤＭＶフォルダの直下に移動する。
【０１１６】
次いで、インデックス・ファイルの書き換えを行なう。具体的には、ＡＶＣＨＤ￥ＢＤＭＶ直下のインデックス・ファイル（ＡＶＣＨＤ￥ＢＤＭＶ￥ＩＮＤＥＸ．ＢＤＭ）を削除してから、一時フォルダＰＣ＿ＡＰＰ￥ＢＤＭＶ直下のインデックス・ファイル（ＰＣ＿ＡＰＰ￥ＢＤＭＶ￥ＩＮＤＥＸ．ＢＤＭ）をＡＶＣＨＤ￥ＢＤＭＶフォルダの直下に移動する。
【０１１７】
フェーズ４：
デジタルカメラ２内のＨＤＤ２５の記憶領域上に作成した一時フォルダ類をすべて削除する。極めて短時間で実行可能である。図１２には、デジタルカメラ２内のＨＤＤ２５の記憶領域上でこのフェーズが行なわれる様子を示している。図示の通り、ＡＶＣＨＤ￥ＢＤＭＶフォルダ内に作成した、インデックス・ファイルと動画像オブジェクト・ファイルをバックアップするために作成したＢＡＣＫＵＰフォルダ以下を削除する。続いて、オーサリング・エンジンがストリーム・ファイルの異動時に作成した一時フォルダＰＣ＿ＡＰＰ以下を削除する。
【０１１８】
フェーズ５：
ＡＶインデックスのデータベース、すなわちルート・フォルダ直下のＡＶＦ＿ＩＮＦＯフォルダ内の各データベース・ファイルの更新を行なう。なお、ＡＶＣＨＤ規格ではＡＶＦ＿ＩＮＦＯフォルダは必須（ｍａｎｄａｔｏｒｙ）ではない。ＡＶＦ＿ＩＮＦＯフォルダ内にあるＡＶインデックスのデータベースによって、ストリームの再生・編集に利便性がもたらされるが、この点は本発明の要旨に直接関連しないので、説明を省略する。
【０１１９】
図１３には、デジタルカメラ２内のＨＤＤ２５の記憶領域上でこのフェーズが行なわれる様子を示している。このフェーズでは、ＡＶインデックスのデータベース・ファイルを更新する。
【０１２０】
図１４には、パーソナル・コンピュータ４からデジタルビデオカメラ２内のＨＤＤ２５へコンテンツを転送する際の処理手順をフローチャートの形式で示している。
【０１２１】
まず、ユーザがパーソナル・コンピュータ４上の任意の動画像ストリーム群から、デジタルビデオカメラ２に転送したいものを選択する。そして、デジタルビデオカメラに対しストリーム・ファイルを転送するためのプログラム（以下、「転送プログラム」とする)をパーソナル・コンピュータ４上で起動する（ステップＳ１）。
【０１２２】
次いで、転送プログラムが、デジタルビデオカメラ２がパーソナル・コンピュータ４にＵＳＢケーブル３などにより接続されているかを確認する。（ステップＳ２）。ここで、接続されていない場合には、その旨を画面表示してユーザに通知した上で、当該処理ルーチンをエラー終了する。
【０１２３】
なお、デジタルビデオカメラ２がパーソナル・コンピュータ４に接続されているかどうかを判別する方法としては、デジタルビデオカメラ２上のＨＤＤ２５内に識別ファイルを設ける方法や、ＨＤＤ２５がマスストレージ・デバイスとしてＵＳＢ接続されている際にそのＶＩＤ（Ｖｅｎｄｏｒ  ＩＤ）やＰＩＤ（Ｐｒｏｄｕｃｔ  ＩＤ）を判別する方法などが考えられる。
【０１２４】
デジタルビデオカメラ２がパーソナル・コンピュータ４に接続されているときには、転送プログラムは、続いて、ＨＤＤ２５内にＰＣ＿ＡＰＰなどの一時フォルダや一時ファイルが存在していないかどうかをチェックする（ステップＳ３）。
【０１２５】
既に述べたように、コンテンツの書き戻し処理が成功した際には、これら一時フォルダや一時ファイルはすべて削除される。ＨＤＤ２５内にＰＣ＿ＡＰＰフォルダなどの一時フォルダや一時ファイルが存在することは、前回の書き戻し処理が途中で失敗したことを意味するの。このような場合、転送プログラムは、残された一時フォルダや一時ファイルをすべて削除して（ステップＳ３−１）、空き容量を確保する、あるいはその他の修復処理を実行する。
【０１２６】
次いで、転送プログラムは、接続されているデジタルビデオカメラ２の映像信号情報を取得して、ユーザが選択した転送対象の画像ストリームに対応しているかどうかをチェックする（ステップＳ４）。具体的には、接続されているデジタルビデオカメラ２の５０ｉ／６０ｉ情報を判別して、ユーザが選択した転送対象の画像ストリームの５０ｉ／６０ｉの情報と一致しているかどうかを確認する。
【０１２７】
一致しない場合、例えば、選択された転送対象の画像ストリームが５０ｉであるのに対し、デジタルビデオカメラが６０ｉしか再生できない場合には、その旨を画面表示してユーザに通知した上で、当該処理ルーチンをエラー終了する。なお、このような場合であっても、エラー終了せずに、選択された転送対象の画像を再符号化した上で５０ｉから６０ｉに変換してから、デジタルビデオカメラ２への転送処理を開始するという代替的な方法も考えられる。
【０１２８】
ここで、５０ｉ／６０ｉを判別する方法として、デジタルカメラカメラ２上のＨＤＤ２５内に識別ファイルを設け、その中に５０ｉ／６０ｉの情報を記録するフィールドを設ける方法や、既にデジタルビデオカメラ２内のＨＤＤ２５上にＡＶＣＨＤ形式で画像が記録済みの場合はその画像の情報を参照する方法などが挙げられる。但し、ＡＶＣＨＤで規格するフォーマット上では、同じメディア上に５０ｉ／６０ｉの画像が混在することは許されていないので、実際の運用では適切な判断をする必要がある。
【０１２９】
次いで、ユーザが選択した転送対象の画像ストリーム群を、２Ｇバイト以内に収まるように区切って、グループ分けする（ステップＳ４）。但し、本発明の要旨はグループ分けする単位が２Ｇバイトに限定されるものではない。
【０１３０】
画像をグループ分けして処理するのは、一時フォルダにすべてのストリーム・ファイルの一時ファイルを一括して生成しようとすると、処理時間が極めて長くなることを考慮したためである。処理時間が長いと、その間に、デジタルビデオカメラ２とパーソナル・コンピュータ４を接続しているＵＳＢケーブル３が突然抜ける、デジタルビデオカメラ２の電源が遮断される、といった異常事態が発生する可能性が高まる。
【０１３１】
例えば、２０Ｇバイトの画像ストリーム群をデジタルビデオカメラ２に転送している処理の途中でＵＳＢケーブル３が抜けてしまった場合を考える。２０Ｇバイトの画像ストリーム群全体を１グループとして転送処理を行なうと、１グループ転送完了後に行なうデータベース更新処理が行なわれる前である。このため、既に処理済みであった画像ストリームについても「転送完了」として扱われず、デジタルビデオカメラ２本体で認識できなくなってしまう。すなわち、一部のストリーム・ファイルは転送完了しているにも拘らず、すべての画像ストリームについて書き戻しが失敗したことになる。これに対し、２Ｇバイト以内にグループ分けして転送処理を行なうようにすれば、１１Ｇバイト目の画像ストリームを転送中に異常終了しても、その直前のグループである１０Ｇバイト目の画像ストリームまではデジタルビデオカメラ２本体で無事に転送が完了と認識される。
【０１３２】
転送対象となる画像ストリーム群を２Ｇバイト以内に収まるグループにまとめると、以降で転送プログラムは、画像ストリームをパーソナル・コンピュータ４からデジタルビデオカメラ２に書き戻すオーサリング処理を、グループ単位で実行する。
【０１３３】
まず、転送プログラムは、未処理のグループを１つ取り出す（ステップＳ６）。次いで、転送プログラムは、グループ内から未処理の画像ストリームすなわちクリップＡＶストリーム・ファイルを１つずつ取り出し（ステップＳ７）、デジタルビデオカメラ２のＨＤＤ２５内に作成した一時フォルダＰＣ＿ＡＰＰ￥ＢＤＭＶ￥ＳＴＲＥＡＭ下に一時ファイルとしてコピーする。パーソナル・コンピュータ４側からはＨＤＤ２５はＵＳＢ接続されたマスストレージ・デバイスとして映るので、このようなファイル・コピー操作を容易に行なうことができる。
【０１３４】
そして、ＰＣ＿ＡＰＰ￥ＢＤＭＶ￥ＳＴＲＥＡＭの一時ファイルを利用してクリップ情報ファイルを生成する（ステップＳ８）。具体的には、ＭＰＥＧ２−ＴＳ形式となるクリップＡＶストリーム・ファイルを一旦動画像ストリームと音響ストリーム、並びにその他のストリーム（字幕情報など）に分離（Ｄｅｍｕｌｔｉｐｌｅｘ）してから（ステップＳ８）、再び１つのＭＰＥＧ２−ＴＳストリームに統合（Ｍｕｌｔｉｐｌｅｘ）する（ステップＳ９）。そして、ストリームを分離及び再統合する間に取得されたさまざまなパラメータに基づいて、当該クリップＡＶストリーム・ファイルについてのクリップ情報ファイルを生成し（ステップＳ１０）、これをＰＣ＿ＡＰＰ￥ＢＤＭＶ下に設けたＣＬＩＰＩＮＦフォルダ内に格納する。
【０１３５】
そして、転送プログラムは、ステップＳ８〜Ｓ１０の処理を、グループに含まれるすべてのクリップＡＶストリーム・ファイルについて順次実行する（ステップＳ１１）。
【０１３６】
このようにして、グループ内のすべてのストリームについてクリップ情報ファイルを作成すると、転送プログラムは、当該グループのすべてのクリップＡＶストリーム・ファイル及びクリップ情報ファイルについての再生リスト・ファイルを生成して（ステップＳ１２）、これをＰＣ＿ＡＰＰ￥ＢＤＭＶ下に設けたＰＬＡＹＬＩＳＴフォルダ内に格納する。
【０１３７】
当該処理ルーチンの中で、ステップＳ７〜Ｓ１１のループに要する処理時間は非常に長いと思料される。
【０１３８】
次いで、転送プログラムは、一時フォルダＰＣ＿ＡＰＰ￥ＢＤＭＶの下に、生成した再生リストについてのインデックス・ファイル（ＩＮＤＥＸ．ＢＤＭ）と、動画像オブジェクト・ファイル（ＭＯＶＩＥＯＢＪ．ＢＤＭ）を生成する（ステップＳ１３）。この時点で、処理中のグループについてのＢＤＭＶツリーが一時フォルダＰＣ＿ＡＰＰ内に完成する。
【０１３９】
この時点で、一時フォルダＰＣ＿ＡＰＰ下には、処理中のグループについてのＢＤＭＶツリーが完成し、これはＡＶＣＨＤフォーマットに則ってストリーム・データを記録するＢＤＭＶツリー（すなわちＡＶＣＧＤ￥ＢＤＭＶ）と全く同一のフォルダ構造（図７を参照のこと）を持つ。
【０１４０】
次いで、転送プログラムは、一時フォルダＰＣ＿ＡＰＰ￥ＢＤＭＶ下の、すべての再生リスト・ファイル（ＰＣ＿ＡＰＰ￥ＢＤＭＶ￥ＰＬＡＹＬＩＳＴフォルダ内の拡張子“．ＭＰＬ”を持つすべてのファイル）、すべてのクリップ情報ファイル（ＰＣ＿ＡＰＰ￥ＢＤＭＶ￥ＣＬＩＰＩＮＦフォルダ内の拡張子“．ＣＰＩ”を持つすべてのファイル）、及び、すべてのクリップＡＶストリーム・ファイル（ＰＣ＿ＡＰＰ￥ＢＤＭＶ￥ＳＴＲＥＡＭフォルダ内の拡張子“．ＭＴＳ”を持つすべてのファイル）を、デジタルビデオカメラ２の本来のＢＤＭＶツリー（すなわちＡＶＣＨＤ￥ＢＤＭＶのそれぞれ対応するサブフォルダ内）に移動する（ステップＳ１４）。このようなＨＤＤ２５内でのファイルの移動はファイル・パスの返還だけで済むので、処理時間は極めて短くて済む。
【０１４１】
次いで、転送プログラムは、デジタルビデオカメラ２の本来のＢＤＭＶの直下のインデックス・ファイル（ＩＮＤＥＸ．ＢＤＭ）及び動画像オブジェクト・ファイル（ＭＯＶＩＥＯＢＪ．ＢＤＭ）に対し、ステップＳ１２で生成した再生リストを追加するための更新処理を施す（ステップＳ１５）。インデックス・ファイル及び動画像オブジェクト・ファイルを更新する際には、ＢＡＣＫＵＰフォルダ内にこれらのバックアップをとっておく。
【０１４２】
この時点で、グループ単位での画像ストリームの書き戻し処理が完了するので、転送プログラムは、使用した一時フォルダＰＣ＿ＡＰＰとＢＡＣＫＵＰフォルダを削除する（ステップＳ１６）。
【０１４３】
次いで、転送プログラムは、ＡＶＦ＿ＩＮＦＯフォルダ以下のＡＶインデックスのデータベースを編集する（ステップＳ１７）。ＡＶインデックスのデータベースはＡＶＣＨＤフォーマットに必須ではなく、且つその内容自体は本発明の要旨に直接関連しないので、ここではこれ以上説明しない。
【０１４４】
そして、転送プログラムは、ステップＳ６〜Ｓ１７の処理を、すべてのグループについて順次実行することによって（ステップＳ１８）、ユーザが選択した転送対象の画像ストリームをすべてパーソナル・コンピュータ４からデジタルビデオカメラ２へ書き戻す。
【０１４５】
なお、パーソナル・コンピュータ４からデジタルビデオカメラ２へ画像ファイルの書き戻し処理を行なう最中に、ＵＳＢケーブル３の抜去や、パーソナル・コンピュータ４又はデジタルビデオカメラ２の突発的な電源オフ、その他の障害が発生して、処理が中断した場合、一時フォルダＰＣ＿ＡＰＰがデジタルビデオカメラ２内のＨＤＤ２５に残されてしまう。このような一時フォルダは、記憶空間のガーベイジ（ｇａｒｂａｇｅ）に過ぎず、デジタルビデオカメラ２の撮影時間の短縮の原因になる。パーソナル・コンピュータ４上で起動する転送プログラムは、上記のステップＳ３においてＨＤＤ２５内にのこされた一時フォルダを削除して空き容量として回復する。また、デジタルビデオカメラ２側でも、パーソナル・コンピュータ４にＵＳＢ接続されないスタンドアロン状態において、自分のＨＤＤ２５内に一時フォルダの存在を検出すると、これを自律的に削除処理するようにしてもよい。
【０１４６】
このように本実施形態に係るデータ処理システム１によれば、パーソナル・コンピュータ４に一旦取り込んだ画像ストリームを、ＡＶＣＨＤフォーマットで記録するＨＤＤ型デジタルビデオカメラ２に書き戻し（ＡＶＣＨＤ追記）を行なうことが可能となる。
【０１４７】
また、ＡＶＣＨＤフォーマットに従って書き戻しを行なう際、クリップ情報ファイルと再生リスト・ファイルを再構築するために、クリップＡＶストリームとなる画像ストリーム・データの分離（Ｄｅｍｕｌｔｉｐｌｅｘ）及び再統合（Ｍｕｌｔｉｐｌｅｘ）を行なう必要があるが、その際に使用する一時フォルダを、書き戻し先となるデジタルビデオカメラ２内のＨＤＤ２５に生成することによって、書き戻し処理時間の短縮化や、パーソナル・コンピュータ４上のＨＤＤ４９の空き容量の節約、ＵＳＢの突発的抜去などの異常終了時の影響の抑止といった効果を得ることができる。
【産業上の利用可能性】
【０１４８】
以上、特定の実施形態を参照しながら、本発明について詳解してきた。しかしながら、本発明の要旨を逸脱しない範囲で当業者が該実施形態の修正や代用を成し得ることは自明である。
【０１４９】
本明細書では、パーソナル・コンピュータ４に一旦取り込んだ画像ストリームを、ＡＶＣＨＤフォーマットで記録するＨＤＤ型デジタルビデオカメラ２に書き戻すというＡＶＣＨＤ追記を行なう実施形態を中心に説明してきたが、本発明の要旨はこれに限定されるものではない。規定のフォルダ構造の中にデータ・ファイルとこれに付随する管理情報ファイルを格納してデータ・ファイルの使用が行なわれるその他のさまざまなタイプのデータ処理システムにおいて、データ・ファイルの書き戻しを行なう際には、同様に本発明を適用することができる。
【０１５０】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【０１５１】
【図１】図１は、本発明の一実施形態に係るデータ処理システム１の構成を示した図である。
【図２】図２は、パーソナル・コンピュータ４の内部構成例を示した図である。
【図３】図３は、デジタルビデオカメラ２の内部構成を模式的に示した図である。
【図４】図４は、録画編集が可能な形式でユーザ・データをＨＤＤ２５上に記録するためのデータ構造の一例を示した図である。
【図５Ａ】図５Ａは、ビデオカメラによる録画・撮影に従ってＡＶストリームのクリップとともに再生リストが生成される手順を説明するための図である。
【図５Ｂ】図５Ｂは、ビデオカメラによる録画・撮影に従ってＡＶストリームのクリップとともに再生リストが生成される手順を説明するための図である。
【図５Ｃ】図５Ｃは、ビデオカメラによる録画・撮影に従ってＡＶストリームのクリップとともに再生リストが生成される手順を説明するための図である。
【図５Ｄ】図５Ｄは、ビデオカメラによる録画・撮影に従ってＡＶストリームのクリップとともに再生リストが生成される手順を説明するための図である。
【図６】図６は、ＡＶＣＨＤで規定されているディレクトリ構成を示した図である。
【図７】図７は、デジタルビデオカメラ内のＨＤＤ２５上に一時ファイルを生成してから、一時ファイルのうち必要なファイルをＨＤＤ２５上の適切なフォルダに移動する様子を示した図である。
【図８】図８は、パーソナル・コンピュータ４からデジタルビデオカメラ２内のＨＤＤ２５へコンテンツを転送する手順を説明するための図である。
【図９】図９は、パーソナル・コンピュータ４からデジタルビデオカメラ２内のＨＤＤ２５へコンテンツを転送する手順を説明するための図である。
【図１０】図１０は、パーソナル・コンピュータ４からデジタルビデオカメラ２内のＨＤＤ２５へコンテンツを転送する手順を説明するための図である。
【図１１】図１１は、パーソナル・コンピュータ４からデジタルビデオカメラ２内のＨＤＤ２５へコンテンツを転送する手順を説明するための図である。
【図１２】図１２は、パーソナル・コンピュータ４からデジタルビデオカメラ２内のＨＤＤ２５へコンテンツを転送する手順を説明するための図である。
【図１３】図１３は、パーソナル・コンピュータ４からデジタルビデオカメラ２内のＨＤＤ２５へコンテンツを転送する手順を説明するための図である。
【図１４】図１４は、パーソナル・コンピュータ４からデジタルビデオカメラ２内のＨＤＤ２５へコンテンツを転送する際の処理手順を示したフローチャートである。
【符号の説明】
【０１５２】
１…データ処理システム
２…デジタルビデオカメラ
３…ＵＳＢケーブル
４…パーソナル・コンピュータ
２１…カメラ・ブロック
２２…符号化部
２３…ストリーム・バッファ
２４…記録部
２５…ＨＤＤ
２６…中央処理部
２７…一時記憶媒体
２８…ＵＳＢインターフェース
４１…ＣＰＵ
４２…バス
４３…メモリ
４４…ディスプレイ・コントローラ
４５…表示装置
４６…入出力インターフェース、４６Ａ…キーボード、４６Ｂ…マウス
４７…ネットワーク・インターフェース
４８…ＨＤＤコントローラ
４９…ＨＤＤ
５０…ＵＳＢインターフェース
【図１】
2008022504.tif 000004
【図２】
2008022504.tif 000005
【図３】
2008022504.tif 000006
【図４】
2008022504.tif 000007
【図５Ａ】
2008022504.tif 000008
【図５Ｂ】
2008022504.tif 000009
【図５Ｃ】
2008022504.tif 000010
【図５Ｄ】
2008022504.tif 000011
【図６】
2008022504.tif 000012
【図７】
2008022504.tif 000013
【図１４】
2008022504.tif 000014
【図８】
2008022504.tif 000015
【図９】
2008022504.tif 000016
【図１０】
2008022504.tif 000017
【図１１】
2008022504.tif 000018
【図１２】
2008022504.tif 000019
【図１３】
2008022504.tif 000020